(57)【要約】【課題】本発明は、基準点として確実に機能させると共に、床下地材に水平な下地面を作り出すのに利用できる基準用プレートを提供する。【解決手段】建築躯体の床スラブ面Ｓに固定される基準用プレート１は、床スラブ面Ｓ上で墨出しされた基準点Ｐ上に配置されると共に、床スラブ面Ｓ上に敷設される床下地材４の表面４ａの予定された水平レベルＬに天端面１ａが位置するような高さｈを有し、天端面１ａには、基準点Ｐの略真上に位置させる位置合わせ部Ｒが設けられている。基準用プレート１は、円柱状に形成されると共に、床スラブ５の基準点Ｐにねじ込まれるビス３が貫通する貫通孔２を有し、この貫通孔２は、互いに平行な天端面１ａと底面１ｂとの間で天端面１ａに対して直交して延在し、貫通孔２の天端面１ａ側の開口が位置合わせ部Ｒである。【選択図】図２
2011179230.tif 000002
【特許請求の範囲】
【請求項１】
建築躯体の床スラブ面に固定される基準用プレートであって、
前記床スラブ面上で墨出しされた基準点上に配置されると共に、前記床スラブ面上に敷設される床下地材の表面の予定された水平レベルに天端面が位置するような高さを有し、前記天端面には、前記基準点の略真上に位置させる位置合わせ部が設けられていることを特徴とする基準用プレート。
【請求項２】
円柱状に形成されると共に、前記床スラブの前記基準点に貫入する固定具が貫通する貫通孔を有し、この貫通孔は、互いに平行な前記天端面と底面との間で前記天端面に対して直交して延在し、前記貫通孔の前記天端面側の開口が前記位置合わせ部であることを特徴とする請求項１記載の基準用プレート。
【請求項３】
建築躯体の床スラブ面上に請求項１記載の基準用プレートが固定され、前記基準用プレートの天端面が露出するように前記床スラブ面上に床下地材が敷設されていることを特徴とする床スラブ構造。
【請求項４】
前記床スラブ面上に床下地材を施工する方法において、
前記床スラブ面上で墨出しされた基準点上で、前記床下地材の表面の予定された水平レベル位置を特定する工程と、
前記基準点上で、前記床下地材の表面の予定された水平レベル位置から前記床スラブ面までの鉛直方向における距離を実測する工程と、
実測された距離に略合致した高さを有する基準用プレートの天端面の位置合わせ部が、前記基準点上の床下地材の表面の予定された水平レベル位置と鉛直方向で合致するように、前記床スラブ面上に前記基準用プレートを固定する工程と、
前記基準用プレートの前記天端面の縁に合致するように前記床下地材を敷設する工程と、を備えたことを特徴とする床下地材の施工方法。
【請求項５】
前記基準用プレートは、円柱状に形成されると共に、前記床スラブの前記基準点に貫入する固定具が貫通する貫通孔を有し、この貫通孔は、互いに平行な前記天端面と底面との間で前記天端面に対して直交して延在し、前記貫通孔の前記天端面側が前記位置合わせ部であり、
前記床スラブ面上に前記基準用プレートを固定する工程において、
前記基準用プレートの前記貫通孔を上から覗き見て、前記床スラブ面上で前記貫通孔の略中心と前記基準点とを合致させる工程と、
前記基準用プレートの前記貫通孔の上から前記固定具を挿入し、前記床スラブ面の基準点に前記固定具を貫入し、前記固定具の頭部で前記基準用プレートを押さえ込んで前記床スラブに前記基準用プレートを固定する工程と、を備えたことを特徴とする請求項４記載の床下地材の施工方法。
【発明の詳細な説明】
【技術分野】
【０００１】
本発明は、構造躯体の床スラブ面上に床下地材(例えばモルタル)を敷設する際に利用される基準用プレート、この基準用プレートを利用した床スラブ構造及び床下地材の施工方法に関するものである。特に建物の施工中は、もちろん将来の改修、リフォーム工事を行うときにも再利用ができる基準用プレート、この基準用プレートを利用した床スラブ構造及び床下地材の施工方法に関するものである。
【背景技術】
【０００２】
建物の内部工事（間仕切壁や建具、設備部品の設置）において、設計図面に基づいて当該部材、部品を実物の躯体に配置して施工するにあたっては、当該躯体の柱の柱脚プレートの部位の中心点を基準にして、所謂、墨出しと言われる方法により各部材の設置位置を決定するための基準点（基準線）を床スラブ面等に実際に示すことが行われている。しかしながら、この基準点は、床スラブ面に床下地材としてモルタル材（またはセルフレベリング材）を敷き均すために流し込んだ後は、隠蔽されてしまう。そして、隠蔽された後に設置される部材や部品は、見え掛かりの新たな基準点や基準線を元にその後の工程の部材や部品の設置工事が行われることとなる。このため、床スラブ面にモルタル下地などの床下地材を敷設した後は、工程が進捗する毎に新たな基準点を設け、部材や部品毎に異なる多数の基準点を使って組み立てられる。この結果、仕上がりの工程で部材や部品間に大きな寸法誤差が生じてやり直し工事になるなど、品質上好ましくない場合が発生したり、後工程で誤差の調整を行うことによる手間が生じて全体工期の長期化につながる場合があった。そこで、従来では、所定の高さだけ床スラブ面から突出するように当該床スラブの基準点に釘やビスを打ち込んで、モルタル下地の施工後であっても当該基準点が隠蔽されないように工事を進めていた。
【先行技術文献】
【特許文献】
【０００３】
【特許文献１】実開平５−４９９６１号公報
【発明の概要】
【発明が解決しようとする課題】
【０００４】
しかしながら、モルタル下地から突出する釘やビスを基準点として利用する場合、この基準点は、内部工事の開始から仕上げ段階までの寸法測定の基準として利用され続けるが、施工業者の作業の邪魔になったり、踏まれたり当てられたりして、折れたり曲がったりすることがあり、仕上げ段階まで基準点として機能しない場合がある。ここで、特許文献１には、壁から墨ポインターを突出させる構成が記載されるものの、上述のモルタル下地から突出する釘や木ネジ（ビス）の例となんら技術的思想の点で異なるところがなく同じといえる。
【０００５】
本発明は、上記問題点を解決するものであり、基準点として確実に機能させると共に、床下地材に水平な下地面を作り出すのに利用できる基準用プレートを提供することを目的とする。また、本発明は、このような基準用プレートが利用される床スラブ構造及び床下地材の施工方法を提供することを目的とする。
【課題を解決するための手段】
【０００６】
本発明の第一は、建築躯体の床スラブ面に固定される基準用プレートであって、
床スラブ面上で墨出しされた基準点上に配置されると共に、床スラブ面上に敷設される床下地材の表面の予定された水平レベルに天端面が位置するような高さを有し、天端面には、基準点の略真上に位置させる位置合わせ部が設けられていることを特徴とする。
【０００７】
この基準用プレートは、床スラブ面上に敷設される床下地材の表面すなわち下地面の予定された水平レベルにプレートの天端面が位置するような高さを有している。このような基準用プレートを床スラブ面の基準点上に設置すると、床スラブ上に床下地材を手作業で敷設する(例えば、モルタルや流動性のあるセルフレベリング材などを使って均一に流しこんで、所定の高さ（厚さ）になるように水平方向に均す。)ときに、基準用プレートの天端面は、基準用プレートの天端面と面一になるようにモルタルを水平に均す際の目安として利用することができる。しかも、基準用プレートの天端面は、モルタルによって隠蔽されることが無いので、基準用プレートの天端面を、内部工事の開始から仕上げ段階までの高さ寸法測定の新たな基準として利用し続けることができる。さらに、この基準用プレートを床スラブ面に固定した際、天端面の位置合わせ部が基準点の略真上に位置させられるので、例えば、位置合わせ部に×印を施した場合、この印を水平寸法の新たな基準点として利用することができ、位置合わせ部が開口の場合、この開口の中心（釘、木ネジ、ビスの中心）を新たな基準点として利用することができる。このように、基準用プレートは、床下地材に水平な下地面を形成するのに利用できると共に、内部工事の開始から仕上げ段階までの間、新たな基準点として確実に機能させることができる。
【０００８】
また、本発明の第二として、基準用プレートが円柱状に形成されると共に、床スラブの基準点に貫入する固定具が貫通する貫通孔を有し、この貫通孔は、互いに平行な天端面と底面との間で天端面に対して直交して延在し、貫通孔の天端面側の開口が位置合わせ部であると好適である。ここで、固定具は、基準プレートを床スラブにせん断固定ができるものであればよく、先端が鋭利であり、床スラブに貫入する胴部と、基準プレートの開口に周囲に引掛かり、基準プレートを床スラブに押さえ込む役割を果たす頭部からなる、釘、木ネジ（ビス）、スクリュー釘等がある。先端が鋭利でない固定具を貫入する（ねじ込む）場合は、床スラブに下穴を形成し、雌ネジを切った筒部を貫入しておけばよい。
このように基準用プレートの形状が円柱状になっているので、床スラブ上に床下地材を手作業で敷設するときに、基準用プレートの天端面の縁に沿って床下地材が密着し易い。しかも、固定具を利用することで、基準用プレートを床スラブに容易に固定させることができる。そして、このビスは、基準点にねじ込まれるので、ビスの頭部の十字溝の交点を、水平寸法の新たな基準点として利用することもできる。
【０００９】
本発明の第三は、建築躯体の床スラブ面上に請求項１記載の基準用プレートが固定され、基準用プレートの天端面が露出するように床スラブ面上に床下地材が敷設されていることを特徴とする。
【００１０】
本発明の第四は、床スラブ面上に床下地材を施工する方法において、
床スラブ面上で墨出しされた基準点上で、床下地材の表面の予定された水平レベル位置を特定する工程と、
基準点上で、床下地材の表面の予定された水平レベル位置から床スラブ面までの鉛直方向における距離を実測する工程と、
実測された距離に略合致した
高さを有する基準用プレートの天端面の位置合わせ部が、基準点上の床下地材の表面の予定された水平レベル位置と鉛直方向で合致するように、床スラブ面上に基準用プレートを固定する工程と、
基準用プレートの天端面の縁に合致するように床下地材を敷設する工程と、を備えたことを特徴とする。
【００１１】
この床下地材の施工方法において、床スラブ面に固定された基準用プレートは、この基準用プレートは、床スラブ面上に敷設される床下地材の表面すなわち下地面の予定された水平レベルにプレートの天端面が位置するような高さを有している。このような基準用プレートを床スラブ面の基準点上に設置すると、床スラブ上に床下地材(例えばモルタルなど)を手作業で敷設するときに、基準用プレートの天端面は、基準用プレートの天端面と面一になるようにモルタルを水平に均す際の目安として利用することができる。しかも、基準用プレートの天端面は、モルタルによって隠蔽されることが無いので、基準用プレートの天端面を、内部工事の開始から仕上げ段階までの高さ寸法測定の基準として利用し続けることができる。さらに、この基準用プレートを床スラブ面に固定した際、天端面の位置合わせ部が基準点の略真上に位置させられるので、例えば、位置合わせ部に×印を施した場合、この印を水平寸法の新たな基準点として利用することができ、位置合わせ部が開口の場合、この開口の中心（固定具である釘、木ネジ（ビス）等の中心）を新たな基準点として利用することができる。このように、基準用プレートは、床下地材に水平な下地面を作り出すのに利用できると共に、内部工事の開始から仕上げ段階までの間、新たな基準点として確実に機能させることができる。
【００１２】
また、本発明の第五として、基準用プレートは、円柱状に形成されると共に、床スラブの基準点にねじ込まれるビスが貫通する貫通孔を有し、この貫通孔は、互いに平行な天端面と底面との間で天端面に対して直交して延在し、貫通孔の天端面側が位置合わせ部であり、
床スラブ面上に基準用プレートを固定する工程において、
基準用プレートの貫通孔を上から覗き見て、床スラブ面上で貫通孔の略中心と基準点とを合致させる工程と、
基準用プレートの貫通孔の上から固定具を挿入し、床スラブ面の基準点に固定具を貫入して、固定具の頭部で基準用プレートを押さえ込んで床スラブに基準用プレートを固定する工程と、を備えると好適である。
このような施工方法で利用される基準用プレートは、円柱状になっているので、床スラブ上に床下地材(例えばモルタルなど)を手作業で敷設するときに、基準用プレートの天端面の縁に沿って床下地材が密着し易い。しかも、固定具としてビス（木ネジ）を利用した場合は、基準用プレートを床スラブに容易に固定させることができる。そして、このビス（木ネジ）が、基準点にねじ込まれると、ビス（木ネジ）の頭部の十字溝の交点を、水平寸法の新たな基準点として利用することもできる。
【発明の効果】
【００１３】
本発明に係る基準用プレートは、基準点として確実に機能させると共に、床下地材に水平な下地面を作り出すのに利用できる。また、本発明に係る床スラブ構造及び床下地材の施工方法には、基準点として確実に機能させて、床下地材に水平な下地面を作り出すのに利用できる基準用プレートが適用されている。この基準用プレートは、建物の施工中は、もちろん将来の改修、リフォーム工事を行うときにも再利用ができる。
【図面の簡単な説明】
【００１４】
【図１】本発明に係る基準用プレートの一実施形態を示す斜視図である。
【図２】本発明に係る床スラブ構造を示す断面図である。
【図３】選択可能な基準用プレートを示す断面図である。
【図４】床スラブ構造を示す斜視図である。
【図５】本発明の床下地材の施工方法に利用される平面図である。
【図６】本発明の床下地材の施工方法を示す概略図である。
【発明を実施するための形態】
【００１５】
以下、図面を参照しつつ本発明に係る基準用プレート、床スラブ構造及び床下地材の施工方法の好適な実施形態について詳細に説明する。
【００１６】
図１及び図２に示すように、鉄骨の柱梁からなる軸組構造の建築躯体には、１００ｍｍ厚の軽量気泡コンクリート板からなる床パネルを複数敷き並べて床スラブ５が形成され、この床スラブ５の床スラブ面Ｓに基準用プレート１が固定されている。この基準用プレート１は、樹脂によって直径約３０ｍｍの円柱状に形成されている。この基準用プレート１には、天端面１ａから底面１ｂにかけて貫通して、固定具であるビス３のネジが切られた胴部を挿入させるための貫通孔２が形成されている。この貫通孔２は、互いに平行な天端面１ａと底面１ｂとの間で天端面１ａに対して直交して延在すると共に、天端面１ａ側には、ビス３の頭部３ａを着座させることができるように円錐台形状の着座面１ｃが形成されている。
【００１７】
このような基準用プレート１は、床スラブ面Ｓ上で墨出し（墨壷と糸で建物を構成する躯体部材、部品等の表面等に基準点、基準線の印をすること）された基準点Ｐ上に配置されると共に、床スラブ面Ｓ上に敷設される床下地材(例えばモルタル)４の表面４ａの予定された水平レベルＬに基準用プレート１の天端面１ａが位置するような高さｈを有している。そして、ビス３は、床スラブ面Ｓ上の基準点Ｐにねじ込まれ、その結果として、基準用プレート１は、床スラブ５に固定される。また、天端面１ａには、基準点Ｐの略真上に位置させる位置合わせ部Ｒが設けられ、貫通孔２の天端面１ａ側の開口２ａがこの位置合わせ部Ｒである。
【００１８】
この基準用プレート１の高さｈは、天端面１ａが下地面４ａの予定された水平レベルＬに合致する高さであるから、高さｈは、床スラブ５の厚みの誤差や床スラブ面Ｓの傾斜が原因で、床スラブ面Ｓ上で最低でも２カ所以上設けられ、基準点Ｐのそれぞれの位置で異なっている。現場においては、図３に示すように、高さｈが０．５ｍｍずつ異なる基準用プレート１を予め準備しておく。また、必要に応じて、現場で底面１ｂを削るなどして、必要な高さｈを作り出してもよい。基準用プレート１は、樹脂なので加工し易い。予め用意される複数の基準用プレート１は、床下地材４の基準厚さが１２ｍｍである場合に、１２ｍｍの高さｈを基準にして、高さｈが１１ｍｍ〜１３ｍｍの間で０．５ｍｍ刻みのものが好適である。
【００１９】
この基準用プレート１は、床スラブ面Ｓ上に敷設される床下地材４の下地面４ａの予定された水平レベルＬに、プレート１の天端面１ａが位置するような高さｈを有している。このような基準用プレート１を床スラブ面Ｓの基準点Ｐ上に設置すると、床スラブ５上に床下地材(例えばモルタルなど)４を敷設するときに、基準用プレート１の天端面１ａは、基準用プレート１の天端面１ａと面一になるようにモルタル４を水平に均す際の目安として利用することができる。しかも、基準用プレート１の天端面１ａは、モルタル４によって隠蔽されることが無いので、基準用プレート１の天端面１ａを、内部工事の開始から仕上げ段階までの高さ寸法測定の新たな基準として利用し続けることができる。
【００２０】
さらに、この基準用プレート１を床スラブ面Ｓに固定した際、天端面１ａの位置合わせ部Ｒが基準点Ｐの略真上に位置させられる。本実施形態のように位置合わせ部Ｒが貫通孔２の天端面１ａ側の開口である場合、この貫通孔２の開口の中心を新たな基準点Ｐ１として利用することができる。２つの基準用プレート１のＰ１を結んで新たな墨み出しを行うことができる。また、２つの基準用プレート１の開口にビス３を挿入し締めこんで床スラブ面Ｓに固定した場合は、ビス３のネジを、少し緩めることにより、ビス３の頭部とともにネジが切られた胴部が上方に突出するので、互いのビス３の胴部同士を水糸で結んで張設することにより墨打ちをせずに基準線を設けることができる。このように、基準用プレート１は、床下地材４に水平な下地面４ａを作り出すのに利用できると共に、内部工事の開始から仕上げ段階までの間、新たな基準点Ｐ１として確実に機能させることができる。
【００２１】
そして、基準用プレート１が円柱状になっているので、床スラブ５上に床下地材(例えばモルタルなど)４を敷設するときに、基準用プレート１の天端面１ａの縁に沿って床下地材４が密着し易い。しかも、ビス３を利用することで、基準用プレート１を床スラブ５に容易に固定させることができる。そして、このビス３は、床スラブ面Ｓ上の基準点Ｐにねじ込まれるので、ビス３の頭部３ａの十字溝３ｂの交点を、水平寸法測定の新たな基準点Ｐ１として利用することもできる。
【００２２】
そして、平面図は、建物完成後も電子データまたは紙媒体として保管されているので、この平面図を元に、メンテナンス、リフォーム工事の際に基準用プレート１が存在するであろう部分の床の仕上げ材６を剥がせば、簡単に基準点Ｐ１を再度出現させることができる。建物の維持管理段階（将来の改修、リフォーム）まで、一貫して統一された基準点Ｐ１をもとに施工することができる。
【００２３】
図２及び図４に示すように、床スラブ構造にあっては、建築躯体の床スラブ面Ｓ上に基準用プレート１がビス３によって固定され、基準用プレート１の天端面１ａが露出するように床スラブ面Ｓ上に床下地材４が敷設され、床下地材４上に仕上げ材６が敷設されている。この仕上げ材６としては、断熱マットが固着されたフローリングや石板などがある。床スラブ５としては、ALC（軽量気泡コンクリート）、PC（プレキャストコンクリート）等のコンクリート、または合板で形成されたものなど様々である。
【００２４】
次に、床下地材の施工方法について説明する。
【００２５】
図５に示すように、各階の間取りを示す平面図は、各住戸間の仕切壁（「界壁」という。）が設けられる縦軸(Ｘ１軸、Ｘ２軸、Ｘ３軸)と建物の前面側の外壁及び後面側の外壁が設けられる通り芯の横軸（Ｙ１軸、Ｙ３軸）とからなる第１の墨出し線から一定の寸法の逃げ寸法（例えば１０００ｍｍ〜１５００ｍｍ）を決め、その逃げ寸法を使って、新たに第２の基準線であるｘ1、ｘ2、ｘ3、ｙ1、ｙ3を作図する。そして、第２の基準線の交点Ｐを当該住戸（または建物内）の部品設置等の施工作業の基準点として、平面図に記載されている。図５の集合住宅（ワンルーム住戸が３つ）の例では、１住戸の長手方向が５〜１０ｍまでは２箇所とし、１０ｍ以上に関しては５ｍに1箇所毎に中継点を設けることとして必要個数の基準点Ｐが設置される。なお、各階の間取りを示す平面図の代わりに各階床伏図（床パネルの割付図）等の生産図に基準点を記載して用いてもよい。
【００２６】
現場施工者は、基準点Ｐが記入された平面図を基に、レーザー測定器やメジャーを利用して、床スラブ面Ｓ上に基準点Ｐを墨出しする。また、床スラブ面Ｓ上で墨出しされた基準点Ｐ上で、床下地材４の表面４ａの予定された水平レベルＬの位置を特定するに際し、図６に示すように、レベル（室内の高さ方向の寸法）の測定についても逃げ寸法を使った墨出し方法を利用する。例えば、仕上げ材６の厚み１３ｍｍ＋床下地材４の厚み１２ｍｍ＋高さ方向の逃げ寸法１０００ｍｍを考慮する。
【００２７】
（ステップ１：床スラブ面上で墨出しされた基準点上で、床下地材の表面の予定された水平レベル位置を特定する工程）
まず、間仕切り壁の下地材が張設される前の露出された躯体の柱１１の側面１１ａに、床スラブ面Ｓから高さ１０２５ｍｍの位置となるベンチマークＢをマーキングする（ステップ１−１）。
ベンチマークＢのマーキングは、レーザー測定器１０を施工中に他の位置に移したり、後日レーザー測定器１０を改めてセッティングする場合に、水平方向に照射するレーザー光１０ａがベンチマークＢを通過するようにレーザー測定器１０を床スラブ面Ｓの所定の位置にセッティングするためのものである。
なお、現場において、軸組構造の躯体の柱梁の組み立て、床パネルの敷きこみの施工精度が床スラブ面Ｓの水平の程度に影響するが、通常、床スラブ面Ｓの水平面に対する傾斜角度は、１度程度に収まっている。
【００２８】
そして、床スラブ面Ｓに示された各基準点Ｐにおいて、鉛直方向に物差し（例えば棒材）を立ててセットし、セットされた当該物差しＭの側面Ｍｓに、前記レーザー光１０ａを照射してベンチマークＢの高さに対応する位置となる第１のマーキングｂ1を行う（ステップ１−２）。
そして、第１のマーキングｂ1から、仕上げ材６の厚み（１３ｍｍ）に高さ方向の逃げ寸法（１０００ｍｍ）を加えた、１０１３ｍｍだけ下がった物差しＭの側面Ｍｓの該当位置に第２のマーキングｂ2を行う（ステップ１−３）。
【００２９】
（ステップ２：基準点上で、前記床下地材の表面の予定された水平レベル位置から前記床スラブ面までの鉛直方向における距離を実測する工程）
【００３０】
次に、床スラブ面Ｓにセットした際の物差し端部ｍ１から第２のマーキングｂ2までの長さをメジャー等で測定する。このようにして、水平レベルＬの位置から床スラブ面Ｓまでの鉛直方向における距離（高さ）が測定される。
【００３１】
（ステップ３：実測された距離に略合致した高さを有する基準用プレートの天端面の位置合わせ部が、基準点上の床下地材の表面の予定された水平レベル位置と鉛直方向で合致するように、床スラブ面上に基準用プレートを固定する工程）
次に、この測定値が、基準用プレート１に必要とされる高さｈであり、この高さ寸法に（略）合致した基準用プレート１が作業者によって選択される（ステップ３−1）。
その後、選択された基準用プレート１の貫通孔２を上から覗き見るようにして、床スラブ面Ｓ上で貫通孔２の略中心と基準点Ｐとを合致させるようにして、床スラブ面Ｓ上に基準用プレート１を仮配置して、基準用プレート１の貫通孔２の上からビス３を挿入して、基準点Ｐを目標にして床スラブ面Ｓにビス３をねじ込み、ビス３の頭部３ａで基準用プレート１の円錐台形の着座面１ｃを押さえ込んで床スラブ５に基準用プレート１を固定する（ステップ3−2）。
各基準点Ｐについて、ステップ１〜ステップ３までの作業を繰り返して、すべての基準点Ｐに基準用プレート１を設置する。
【００３２】
（ステップ４：基準用プレートの天端面の縁に合致するように床下地材を敷設する工程）
その後、床下地材４(セルフレベリング材)をポンプで圧送して、基準用プレート１の天端面１ａの縁に床下地材４の下地面４ａが合致するように床下地材４を床スラブ面Ｓ上に流し込んで敷設する（ステップ４）。床下地材４の下地面４ａを水平に均す際に、基準用プレート１の天端面１ａと床下地材４の表面４ａとが面一になるような作業が行われる。
【００３３】
床下地材４の乾燥後、床下地材４上に仕上げ材６(例えば、断熱マットが固着されたフローリング材)が固着される。
【００３４】
（将来の改修やリフォーム）
例えば、住宅のリフォーム工事で大規模な間取り変更を行う際、間仕切り壁の再施工を伴う場合に既存のカーペットや寄木合板等の床仕上げ４を剥がして基準用プレート１を現らわし、これを基準として施工することができる。このとき、２つ基準用プレート１の開口に挿入されて締めこまれているビス３を、少し緩めることにより、ビス３の頭部とネジが切られた胴部を、下地や仕上げの予定の水平面より上方に突出させて水糸を張設することにより、周辺に墨打ちをせずに基準線を設けることができるので使い勝手がよい。
【００３５】
本発明は、前述した実施形態に限定されないことは言うまでもない。例えば、基準用プレート１の他の例として、天端面１ａの中央が窪み状になって、この窪みを新たな基準点Ｐ１として利用しても良い。本発明が実施される建物の躯体構造も限定されない。たとえば、前記鉄骨構造の建物に限らず、木造建物や鉄筋コンクリート構造の建物にも適用可能であるし、軸組構造に限らず、壁式構造の躯体である建物にも適用可能である。
【符号の説明】
【００３６】
１…基準用プレート、１ａ…天端面、１ｂ…底面、２…貫通孔、３…ビス、４…床下地材、５…床スラブ、６…仕上げ材、１０…レーザー測定器、１０ａ…レーザー光、１１…躯体の柱、１１ａ…柱の側面、Ｓ…床スラブ面、Ｐ…基準点、Ｒ…位置合わせ部(開口)、Ｌ…床下地材の水平レベル、Ｍ…物差し、Ｍｓ…物差しの側面、物差し端部…ｍ1、Ｂ…ベンチマーク、ｂ1…第１のマーキングｂ1、ｂ2…第２のマーキング。
【図１】
2011179230.tif 000003
【図２】
2011179230.tif 000004
【図３】
2011179230.tif 000005
【図４】
2011179230.tif 000006
【図５】
2011179230.tif 000007
【図６】
2011179230.tif 000008